Podtech/llm-jp-corpus-v4-ja_patent huggingface dataset:
【手続補正書】
【提出日】平成23年12月16日(2011.12.16)
【手続補正１】
【補正対象書類名】特許請求の範囲
【補正対象項目名】全文
【補正方法】変更
【補正の内容】
【特許請求の範囲】
【請求項１】
不織布、および塩基性アミノ酸を含んでいる組成物を含む、デンタルワイプ。
【請求項２】
塩基性アミノ酸が、アルギニン、リジン、シトルリン、オルニチン、クレアチン、ヒスチジン、ジアミノブタン酸、ジアミノプロピオン酸、その塩類、およびその組合わせから選択される、請求項１に記載のデンタルワイプ。
【請求項３】
塩基性アミノ酸がＬ−立体配置を有する、請求項１または２に記載のデンタルワイプ。
【請求項４】
塩基性アミノ酸が、塩基性アミノ酸を含むジ−またはトリ−ペプチドの塩の形で供給される、前記請求項のいずれか１項に記載のデンタルワイプ。
【請求項５】
塩基性アミノ酸がアルギニンである、前記請求項のいずれか１項に記載のデンタルワイプ。
【請求項６】
塩基性アミノ酸がＬ−アルギニンである、前記請求項のいずれか１項に記載のデンタルワイプ。
【請求項７】
塩基性アミノ酸が塩の型である、前記請求項のいずれか１項に記載のデンタルワイプ。
【請求項８】
塩基性アミノ酸がアルギニンであり、その塩の型がリン酸アルギニン、塩酸アルギニン、硫酸アルギニン、重炭酸アルギニン、およびその組合わせから選択される、前記請求項のいずれか１項に記載のデンタルワイプ。
【請求項９】
前記組成物がさらに、フッ化スズ（ＩＩ）、フッ化ナトリウム、フッ化カリウム、モノフルオロリン酸ナトリウム、フルオロケイ酸ナトリウム、フルオロケイ酸アンモニウム、フッ化アミン、フッ化アンモニウム、およびその組合わせからなる群から選択されるフッ化物イオン源を含む、前記請求項のいずれか１項に記載のデンタルワイプ。
【請求項１０】
前記組成物がさらに、グリセリン、ソルビトール、およびその組合わせからなる群から選択される少なくとも１種類の湿潤剤を含む、前記請求項のいずれか１項に記載のデンタルワイプ。
【請求項１１】
前記組成物がさらに、着香剤、芳香剤および／または着色剤を含む、前記請求項のいずれか１項に記載のデンタルワイプ。
【請求項１２】
前記組成物がさらに、トリクロサン、草本エキスおよび精油、ビスグアニド系防腐剤、第四級アンモニウム化合物、フェノール系防腐剤、ヘキセチジン、ポビドンヨード、デルモピノール、サリフルオル、金属イオン、サンギナリン、プロポリス、およびその組合わせから選択される抗細菌剤を含む、前記請求項のいずれか１項に記載のデンタルワイプ。
【請求項１３】
前記組成物がさらに、歯または口腔への細菌の付着を妨害または阻止する薬剤を含む、前記請求項のいずれか１項に記載のデンタルワイプ。
【請求項１４】
下記のための前記請求項のいずれか１項に記載のデンタルワイプであって、；
ａ．齲歯の形成を軽減または抑制する、
ｂ．たとえば定量光誘導蛍光（ＱＬＦ）または電気的伝導度測定（ＥＣＭ）により検出される、たとえばエナメル質の前齲食病変を軽減、修復または抑制するなど、初期のエナメル質病変を軽減、修復または抑制する、
ｃ．歯の脱灰を軽減または抑制し、再石灰化を促進する、
ｄ．歯の過敏性を軽減する、
ｅ．歯肉炎を軽減または抑制する、
ｆ．口内の潰瘍または切り傷の治癒を促進する、
ｇ．酸産生細菌のレベルを低下させる、
ｈ．アルギニン分解細菌（ａｒｇｉｎｏｌｙｔｉｃ  ｂａｃｔｅｒｉａ）の相対レベルを高める、
ｉ．口腔における微生物バイオフィルムの形成を抑制する、
ｊ．糖負荷後の歯垢ｐＨを少なくともｐＨ５．５のレベルに上昇および／または維持する、
ｋ．歯垢の蓄積を軽減する、
ｌ．口内乾燥を処置する、
ｍ．歯を増白する、
ｎ．たとえば口腔組織を介した全身感染の潜在性を低下させることにより、心血管の健康状態を含めた全身の健康状態を推進する、
ｏ．歯の侵食を軽減する、
ｐ．歯を齲食原性細菌に対して免疫化する、ならびに／あるいは
ｑ．歯および口腔を清浄にする、
該デンタルワイプは対象の口腔をぬぐうのに用いられる、上記デンタルワイプ。
【請求項１５】
前記組成物がさらにカリウムイオン源を含む、請求項１に記載のデンタルワイプ。
【請求項１６】
前記カリウムイオン源が硝酸カリウムおよび塩化カリウムから選択される、請求項１５に記載のデンタルワイプ。
【手続補正書】
【提出日】平成24年1月16日(2012.1.16)
【手続補正１】
【補正対象書類名】特許請求の範囲
【補正対象項目名】全文
【補正方法】変更
【補正の内容】
【特許請求の範囲】
【請求項１】
ＨＥＲ２のドメインＩＩと結合する主要種ＨＥＲ２抗体及びその酸性の変異体を含む組成物であって、酸性の変異体が糖化変異体、ジスルフィド還元化変異体又は非還元性変異体を含む、組成物。
【請求項２】
組成物が糖化変異体を含む、請求項１に記載の組成物。
【請求項３】
組成物がジスルフィド還元化変異体を含む、請求項１または請求項２に記載の組成物。
【請求項４】
組成物が非還元性変異体を含む、請求項１から３の何れか一項に記載の組成物。
【請求項５】
酸性の変異体が糖化変異体、脱アミド化変異体、ジスルフィド還元化変異体、シアル化変異体及び非還元性変異体を含む、請求項１から４の何れか一項に記載の組成物。
【請求項６】
酸性の変異体の量が約２５％未満である、請求項１から５の何れか一項に記載の組成物。
【請求項７】
主要種ＨＥＲ２抗体及び酸性の変異体が全て完全な抗体である、請求項１から６の何れか一項に記載の組成物。
【請求項８】
主要種ＨＥＲ２抗体が、それぞれ配列番号３及び４に記載の可変軽鎖及び可変重鎖アミノ酸配列を含む、請求項１から７の何れか一項に記載の組成物。
【請求項９】
主要種ＨＥＲ２抗体が、それぞれ配列番号１５及び１６に記載の軽鎖及び重鎖アミノ酸配列を含む、請求項８に記載の組成物。
【請求項１０】
主要種抗体のアミノ末端リーダー伸長変異体を含む、請求項１から９の何れか一項に記載の組成物。
【請求項１１】
アミノ末端リーダー伸長がＶＨＳ−を含む、請求項１０に記載の組成物。
【請求項１２】
アミノ末端リーダー伸長がＶＨＳ−から成る、請求項１１に記載の組成物。
【請求項１３】
主要種ＨＥＲ２抗体のアミノ酸配列変異体が、１又は両方の重鎖にＣ末端リジン残基を含む抗体、及び１又は複数の酸化メチオニン残基を有する抗体から成る群から選択される、請求項１から１２の何れか一項に記載の組成物。
【請求項１４】
薬学的に許容可能な担体中に請求項１から１３の何れか一項の組成物を含む、製薬製剤。
【請求項１５】
無菌である、請求項１４に記載の製薬製剤。
【請求項１６】
それぞれ配列番号３及び４に記載の可変軽鎖及び可変重鎖配列を含む主要種ＨＥＲ２抗体及び主要種抗体の酸性の変異体を含む組成物であって、酸性の変異体が糖化変異体、脱アミド化変異体、ジスルフィド還元化変異体、シアル化変異体及び非還元性変異体を含む、組成物。
【請求項１７】
薬学的に許容可能な担体中に請求項１６の組成物を含む、製薬製剤。
【請求項１８】
それぞれ配列番号３及び４に記載の可変軽鎖及び可変重鎖配列を含む主要種ＨＥＲ２抗体及び主要種抗体の酸性の変異体を含む、患者のＨＥＲ２陽性癌を治療するための医薬であって、酸性の変異体が糖化変異体、脱アミド化変異体、ジスルフィド還元化変異体、シアル化変異体及び非還元性変異体を含む、医薬。
【請求項１９】
癌が乳癌、卵巣癌、肺癌及び結腸直腸癌からなる群から選択される、請求項１８に記載の医薬。
【請求項２０】
主要種抗体及び酸性の変異体が本質的に同じ薬物動態を有する、請求項１８に記載の医薬。
【請求項２１】
医薬組成物を作成する方法であって、
（１）ＨＥＲ２のドメインＩＩと結合する主要種ＨＥＲ２抗体及びその酸性の変異体を含む組成物を調製し、その酸性の変異体が糖化変異体、ジスルフィド変異体又は非還元性変異体を含んでなり、
（２）組成物中の酸性の変異体を評価し、その量が約２５％未満であることを確認することを含む、方法。
【請求項２２】
工程（２）に、組成物がシアリダーゼで処理されるイオン交換クロマトグラフィー、ドデシル硫酸ナトリウムによる還元キャピラリー電気泳動（ＣＥ−ＳＤＳ）、非還元ＣＥ−ＳＤＳ、ボロン酸クロマトグラフィー、及びペプチドマッピングからなる群から選択される方法によって、酸性の変異体を評価することを含む、請求項２１に記載の方法。
【請求項２３】
工程（２）に、イオン交換クロマトグラフィーによって酸性の変異体を評価することを含む、請求項２１に記載の方法。
【請求項２４】
カルボン酸官能基を有するカチオン交換剤を使用するカチオン交換クロマトグラフィーを含む、請求項２３に記載の方法。
【請求項２５】
クロマトグラフィーの条件が、２０ｍＭのビストリスのバッファーＡ（ｐＨ６．０）；２０ｍＭのビストリスと２００ｍＭのＮａＣｌのバッファーＢ（ｐＨ６．０）；及び０．５％バッファーＢの１．０ｍＬ／分の勾配を含む、請求項２４に記載の方法。
【請求項２６】
薬学的に許容可能な担体と工程（２）後の組成物を組合わせることを含む、請求項２１に記載の方法。
【請求項２７】
工程（２）において評価される組成物が薬学的に許容可能な担体中にある、請求項２１に記載の方法。
【手続補正書】
【提出日】平成24年2月3日(2012.2.3)
【手続補正１】
【補正対象書類名】特許請求の範囲
【補正対象項目名】全文
【補正方法】変更
【補正の内容】
【特許請求の範囲】
【請求項１】
対象の前立腺癌を治療するためのデガレリクスを含む組成物であって、前記治療における注射部位に関連する副作用以外の副作用の発生率および／または可能性が低減された、組成物。
【請求項２】
対象の前立腺癌を治療するための請求項１に記載の組成物であって、前記治療における投与部位に関連する副作用以外の副作用の発生率および／または可能性が低減された、組成物。
【請求項３】
デガレリクスを、初回用量１６０〜３２０ｍｇで投与し、およびその後は維持用量６０〜１６０ｍｇで２０〜３６日ごとに１回投与するための、請求項１または２に記載の組成物。
【請求項４】
少なくとも８０％の可能性で前立腺特異抗原（ＰＳＡ）値を治療中５ｎｇ／ｍｌ未満に維持する治療のための組成物であって、前記対象が、少なくとも９５％の可能性で、治療の第２８日までに０．５ｎｇ／ｍｌ以下という治療上低い血清テストステロンレベルを維持する、および／または前記対象が、少なくとも９５％の可能性で、治療の第２８日から第３６５日まで０．５ｎｇ／ｍｌ以下という治療上低い血清テストステロン値を維持する、および／または前記対象が、治療の第１４日までに前立腺特異抗原（ＰＳＡ）の少なくとも３０％の減少もしくは少なくとも５０％の減少を示す、および／または前記対象が、治療の第２８日までに前立腺特異抗原（ＰＳＡ）の少なくとも６０％の減少もしくは少なくとも７５％の減少を示す、請求項１から３のいずれかに記載の組成物。
【請求項５】
治療対象における心血管および／または血管の副作用の発生率および／または可能性が低減された治療のための、あるいは心筋梗塞、胸痛、胸痛の発達、心雑音、心雑音の発達、心筋虚血、房室ブロック、深部静脈血栓（ＤＶＴ）、心不整脈、冠状動脈障害および／または心障害のうちの１つ以上の発生率および／または可能性が低減された治療のための、請求項１から４のいずれかに記載の組成物。
【請求項６】
治療対象における筋骨格障害および／または結合組織障害のうちの１つ以上の発生率および／または可能性が低減された治療のための、あるいは関節痛および／または筋骨格硬直の発生率または可能性が低減された治療のための、請求項１から５のいずれかに記載の組成物。
【請求項７】
局所進行性前立腺癌（ｌｏｃａｌｌｙ  ａｄｖａｎｃｅｄ  ｐｒｏｓｔａｔｅ  ｃａｎｃｅｒ）を有する対象を治療するための、または６５歳未満の対象を治療するための、請求項６に記載の組成物。
【請求項８】
泌尿器系または腎臓系の障害の発生率および／または可能性が低減された治療のための、あるいは尿閉および／または尿路感染もしくは非感染性膀胱炎の増加の発生率および／またはその可能性が低減された治療のための、請求項１から７のいずれかに記載の組成物。
【請求項９】
局所進行性前立腺癌を有する対象を治療するための請求項８に記載の組成物。
【請求項１０】
３０ｋｇ／ｍ２未満、２０ｋｇ／ｍ２と３０ｋｇ／ｍ２との間もしくは２０ｋｇ／ｍ２と２５ｋｇ／ｍ２との間の肥満度指数（ＢＭＩ）を有する対象を治療するための、および／または４ｍｍｏｌ／Ｌ以上のコレステロールレベルを有する対象を治療するための、請求項１から９のいずれかに記載の組成物。
【請求項１１】
注射部位および／または投与部位に関連する副作用以外の副作用の発生率および／または可能性が、ＧｎＲＨアゴニストリュープロリド（ｌｅｕｐｒｏｌｉｄｅ）を用いた治療に伴うそのような副作用の発生率および／または可能性と比較して低下している、請求項１から１０のいずれかに記載の組成物。
【請求項１２】
２０ｋｇ／ｍ２と３０ｋｇ／ｍ２との間または２０ｋｇ／ｍ２と２５ｋｇ／ｍ２との間の肥満度指数を有する対象の前立腺癌を治療するための、デガレリクスを含む組成物。
【請求項１３】
４ｍｍｏｌ／Ｌ以上のコレステロールレベルを有する対象の前立腺癌を治療するための、デガレリクスを含む組成物。
【請求項１４】
心血管の疾患または障害を発症する可能性が増加している対象の前立腺癌を治療するための、デガレリクスを含む組成物。
【請求項１５】
デガレリクスを初回用量１６０〜３２０ｍｇで投与し、その後は維持用量６０〜１６０ｍｇで２０〜３６日ごとに１回ずつ投与するための、および／またはデガレリクスを初回用量約２４０ｍｇで投与し、維持用量約８０ｍｇで治療のおよそ２８日ごとに１回ずつ投与するための、および／または前記治療が、前立腺癌を有し心血管の疾患もしくは障害のリスクがある適切な対象を同定するステップを含む、請求項１４に記載の組成物。
【請求項１６】
前記心血管の疾患または障害が、心雑音、房室ブロックまたは心筋虚血である、並びに／あるいは心血管疾患リスクが増加しているおよび／または高い指標を有する対象を治療するための、請求項１４または１５に記載の組成物。
【請求項１７】
前記心血管疾患リスクが増加している指標が、高血圧、高い低密度リポタンパク質コレステロール、低い高密度リポタンパク質コレステロール、高血清グルコースおよび習慣性喫煙のうちの１つ以上である、請求項１６に記載の組成物。
【請求項１８】
１３０／８５ｍｍＨｇ以上の血圧を有する対象を治療するための、および／または毎日喫煙する対象を治療するための、および／または約１６０ｍｇ／ｄＬ以上の低密度リポタンパク質コレステロールを有する対象を治療するための、および／または対象が３５ｍｇ／ｄＬ未満の高密度リポタンパク質コレステロールレベルを有する、および／または約１２０ｍｇ／ｄＬ超の空腹時グルコースレベルを有する対象を治療するための、および／または前記心血管疾患リスクが高い指標が、高血清Ｃ反応性タンパク質（ＣＲＰ）、高血清ホモシステイン、高血清フィブリノーゲンおよび高血清リポタンパク質（ａ）（Ｌｐ（ａ））のうちの１つ以上である、および／または３ｍｇ／ｄＬ超のＣ反応性タンパク質レベルを有する対象を治療するための、および／または３０μｍｏｌ／Ｌ超の血清ホモシステインレベルを有する対象を治療するための、および／または７．０ｇ／Ｌ超の血清フィブリノーゲンレベルを有する対象を治療するための、および／または３０ｍｇ／ｄＬ超の血清Ｌｐ（ａ）レベルを有する対象を治療するための、請求項１７に記載の組成物。
【請求項１９】
３０ｋｇ／ｍ２未満の肥満度指数を有する対象を治療するための、および／または２５ｋｇ／ｍ２未満の肥満度指数を有する対象を治療するための、および／または２０ｋｇ／ｍ２と３０ｋｇ／ｍ２との間、好ましくは２０〜２５ｋｇ／ｍ２の肥満度指数を有する対象を治療するための、および／または４ｍｍｏｌ／Ｌ以上のコレステロールレベルを有する対象を治療するための、請求項１４から１８のいずれかに記載の組成物。
【請求項２０】
対象の前立腺癌を治療するための医薬品の製造におけるデガレリクスの使用であって、前記治療は注射部位に関連する副作用以外の副作用の発生率および／または可能性が低減している、使用。
【請求項２１】
心血管の疾患または障害を発症する可能性が増加している対象の前立腺癌を治療するための医薬品の製造におけるデガレリクスの使用。
【手続補正書】
【提出日】平成24年2月9日(2012.2.9)
【手続補正１】
【補正対象書類名】特許請求の範囲
【補正対象項目名】全文
【補正方法】変更
【補正の内容】
【特許請求の範囲】
【請求項１】
対象へ少なくとも３か月間投与することによって、前記対象における加齢関連性網膜機能不全を治療又は予防するための組成物であって、医薬として有効な量の合成レチナール誘導体を含む、前記組成物。
【請求項２】
哺乳動物対象へ少なくとも３か月間投与することによって、前記対象におけるロドプシンの再生比率を改善するための組成物であって、医薬として有効な量の合成レチナール誘導体を含む、前記組成物。
【請求項３】
前記対象へ、少なくとも６か月間投与されるか；約２週間に１回〜約６週間に１回、少なくとも６か月間投与されるか；又は約１か月に１回、約６か月〜約１０か月間投与される、請求項１又は２に記載の組成物。
【請求項４】
前記合成レチナール誘導体が、国際特許出願ＰＣＴ／ＵＳ２００５／０２１８１２号（国際公開第２００６／００２０９７号）に開示された、式Ｉ〜ＸＶＩのいずれか一つの化合物である、請求項１又は２に記載の組成物。
【請求項５】
（ａ）前記合成レチナール誘導体が、９−シス−レチニルエステル、及び／又は１１−シス−レチニルエステルであり；そして
（ｂ）前記合成レチナール誘導体のエステル置換基が、Ｃ1−Ｃ10モノカルボン酸、又はＣ2−Ｃ22ポリカルボン酸のカルボキシレート基を含む、
請求項４に記載の組成物。
【請求項６】
前記エステル置換基が、Ｃ3−Ｃ10のポリカルボン酸のカルボキシレート基を含む、請求項５に記載の組成物。
【請求項７】
前記合成レチナール誘導体が：９−シス−酢酸レチニル、９−シス−コハク酸レチニル、９−シス−クエン酸レチニル、９−シス−ケトグルタル酸レチニル、９−シス−フマル酸レチニル、９−シス−リンゴ酸レチニル、及び９−シス−オキサロ酢酸レチニルから成る群から選択される、請求項５に記載の組成物。
【請求項８】
前記合成レチナール誘導体が９−シス−酢酸レチニルである、請求項７に記載の組成物。
【請求項９】
前記合成レチナール誘導体が：１１−シス−酢酸レチニル、１１−シス−コハク酸レチニル、１１−シス−クエン酸レチニル、１１−シス−ケトグルタル酸レチニル、１１−シス−フマル酸レチニル、１１−シス−リンゴ酸レチニル、及び１１−シス−オキサロ酢酸レチニルから成る群から選択される、請求項５に記載の組成物。
【請求項１０】
前記合成レチナール誘導体が１１−シス−酢酸レチニルである、請求項９に記載の組成物。
【請求項１１】
前記加齢関連性網膜機能不全が、１つ以上の以下の臨床症状：光への曝露後における、桿体媒介性暗順応の機能障害、暗視における機能障害、対比感度における機能障害、及び加齢関連性黄斑変性（ＡＭＤ）によって明示されるか；又は、
前記対象がヒトである、請求項１又は２に記載の組成物。
【請求項１２】
強制給餌で投与される、請求項１又は２に記載の組成物。
【請求項１３】
約０．０１〜約１０ｍｇ／ｋｇ体重の用量で投与される、請求項１２に記載の組成物。
【請求項１４】
経口投与用に製剤化される、請求項１又は２に記載の組成物。
【請求項１５】
前記対象の眼への投与用に製剤化される、請求項１又は２に記載の組成物。
【請求項１６】
点眼剤、眼球内注射可能な溶液、又は眼周囲注射可能な溶液として製剤化される、請求項１５に記載の組成物。
【請求項１７】
前記合成レチナール誘導体が、国際特許出願ＰＣＴ／ＵＳ２００４／００７９３７号（国際公開第２００４／０８２６２２号）に開示された、式Ｉ〜ＸＩＩのいずれか一つの化合物である、請求項１又は２に記載の組成物。
【請求項１８】
１日に１回未満投与され、そして１回あたりの投与量が有効１日投与量よりも多いか；或いは、
約１日に１回、若しくは１日おきに１回；約１週間に４回、１週間に３回、若しくは１週間に２回；又は約２、３、４、５、６、７、８、若しくは９週間ごとに１回投与される、請求項１又は２に記載の組成物。
【請求項１９】
前記加齢関連性網膜機能不全が進行性である、請求項１又は２に記載の組成物。
【手続補正書】
【提出日】平成24年2月3日(2012.2.3)
【手続補正１】
【補正対象書類名】特許請求の範囲
【補正対象項目名】全文
【補正方法】変更
【補正の内容】
【特許請求の範囲】
【請求項１】
血清アルカリホスファターゼ（Ｓ-ＡＬＰ）の基準値（ｂａｓｅｌｉｎｅ  ｌｅｖｅｌ）（治療前）が約１５０ＩＵ／Ｌ以上である対象の転移期前立腺癌（ｍｅｔａｓｔａｔｉｃ  ｓｔａｇｅ  ｐｒｏｓｔａｔｅ  ｃａｎｃｅｒ）を治療するためのデガレリクス（ｄｅｇａｒｅｌｉｘ）を含む組成物。
【請求項２】
前記対象の血清アルカリホスファターゼの基準値が約１６０ＩＵ／Ｌ以上、または２００ＩＵ／Ｌ以上である、請求項１に記載の組成物。
【請求項３】
（ａ）治療のおよそ第６０日から第３６４日の間の期間の、前記対象の血清アルカリホスファターゼ値が、前記基準値（Ｓ-ＡＬＰ）より少なくとも５０ＩＵ／Ｌ以上減少する、及び／または（ｂ）治療の第３６４日から第４５０日の間の期間の、前記対象の血清アルカリホスファターゼ値が、前記基準値（Ｓ-ＡＬＰ）より約５０ＩＵ／Ｌ以上減少する、及び／または（ｃ）治療の第１１２日から第３６４日の間の期間の、前記対象の血清アルカリホスファターゼ値が、前記基準値（Ｓ-ＡＬＰ）より約９０ＩＵ／Ｌ以上減少する、請求項１または２に記載の組成物。
【請求項４】
前記対象のヘモグロビン（Ｈｂ）値が１３０ｇ／Ｌ以下である、請求項１から３のいずれかに記載の組成物。
【請求項５】
前記対象の血清アルカリホスファターゼ（Ｓ-ＡＬＰ）の基準値が３００ＩＵ／Ｌ以上である、請求項１から４のいずれかに記載の組成物。
【請求項６】
治療の第１１２日から第３６４日の間の期間の、前記対象の血清アルカリホスファターゼ値が、前記基準値（Ｓ-ＡＬＰ）より約１６０ＩＵ／Ｌ以上減少する、請求項３または４に記載の組成物。
【請求項７】
前記対象は、５０ｎｇ／ｍＬ以上のＰＳＡ値を有する、請求項１から６のいずれかに記載の組成物。
【請求項８】
治療の第１１２日から第３６４日の間の期間において、前記対象の血清アルカリホスファターゼ値が、前記基準値（Ｓ-ＡＬＰ）より、約６０ＩＵ／Ｌ以上減少する、請求項７に記載の組成物。
【請求項９】
デガレリクスを初回用量１６０〜３２０ｍｇで投与し、及びその後は維持用量６０〜１６０ｍｇで２０〜３６日ごとに１回投与するための、またはデガレリクスを、初回用量約２４０ｍｇで投与し、及びその後は維持用量約８０ｍｇで約２８日ごとに１回投与するための、請求項１から８のいずれかに記載の組成物。
【請求項１０】
少なくとも９５％の可能性で、前記対象が、治療の第２８日までに、０．５ｎｇ／ｍｌ以下という治療上低い血清テストステロン値を維持する、及び／または少なくとも９５％の可能性で、前記対象が、治療の第２８日から第３６５日まで、０．５ｎｇ／ｍｌ以下という治療上低い血清テストステロン値を維持する、請求項１から９のいずれかに記載の組成物。
【請求項１１】
前記対象のＰＳＡが、治療の第１４日までに少なくとも６０％減少する、または治療の第２８日までに少なくとも７５％減少する、請求項１から１０のいずれかに記載の組成物。
【請求項１２】
少なくとも８０％の可能性で、ＰＳＡ値を、治療中５ｎｇ／ｍｌ未満に維持する治療のための、請求項１から１１のいずれかに記載の組成物。
【請求項１３】
対象の限局性または局所進行性前立腺癌（ｌｏｃａｌｉｚｅｄ  ｏｒ  ｌｏｃａｌｌｙ  ａｄｖａｎｃｅｄ  ｐｒｏｓｔａｔｅ  ｃａｎｃｅｒ）が転移期前立腺癌へ進行することを遅延または予防するためのデガレリクスを含む組成物。
【請求項１４】
前記対象は、１６０ＩＵ／Ｌ未満、４４〜１４７ＩＵ／Ｌの間、または５０〜１６０ＩＵ／Ｌの血清アルカリホスファターゼ（Ｓ−ＡＬＰ）値を有する、請求項１３に記載の組成物。
【請求項１５】
前記対象は、１０〜５０ｎｇ／ｍＬまたは２０〜５０ｎｇ／ｍＬのＰＳＡ値を有する、請求項１３または１４に記載の組成物。
【請求項１６】
ＰＳＡ値が５０ｎｇ／ｍＬ以上である対象の前立腺癌を治療するためのデガレリクスを含む組成物。
【請求項１７】
対象の血清アルカリホスファターゼ（Ｓ-ＡＬＰ）の基準値が約１５０ＩＵ／Ｌ以上、または約１６０ＩＵ／Ｌ以上である、請求項１６に記載の組成物。
【請求項１８】
第１１２日から第３６４日の間の期間の、前記対象の血清アルカリホスファターゼ（Ｓ-ＡＬＰ）基準値が、約６０ＩＵ／Ｌ以上の負の変化をする、及び／または前記対象は、１３０ｇ／Ｌ以下のヘモグロビン（Ｈｂ）値を有する、請求項１６または１７に記載の組成物。
【請求項１９】
デガレリクス１６０〜３２０ｍｇの初回用量投与、及びその後２０〜３６日ごとに１回ずつのデガレリクス６０〜１６０ｍｇの維持用量投与をするための、請求項１３から１８のいずれかに記載の組成物。
【請求項２０】
対象の転移性前立腺癌の治療のための及び／または対象の限局性または局所進行性前立腺癌が転移期前立腺癌へ進行することを遅延または予防するための薬剤の製造におけるデガレリクスの使用であって、前記治療は、デガレリクスの、１６０〜３２０ｍｇの初回用量における投与と、その後、２０〜３６日ごとに１回ずつ６０〜１６０ｍｇの維持用量における投与とを含む、または前記治療は、約２４０ｍｇのデガレリクスの初回用量における投与と、その後、約２８日ごとに１回ずつ約８０ｍｇのデガレリクスの維持用量における投与とを含む、使用。
【誤訳訂正書】
【提出日】平成24年9月13日(2012.9.13)
【誤訳訂正１】
【訂正対象書類名】明細書
【訂正対象項目名】００１６
【訂正方法】変更
【訂正の内容】
【００１６】
ＧＬＰ−１受容体に対する活性の強化はさらに、三つの介在アミノ酸によって隔てられる、二つのアミノ酸側鎖の間に分子内架橋を形成することによって、グルカゴンのＣ−末端部分（アミノ酸１２−２９周辺）のアルファヘリックス構造を安定化することによって実現される。例示の実施態様では、この架橋（リンカー）は、約８（または約７〜９）原子長で、位置１２および１６、または位置１６および２０、または位置２０および２４、または位置２４および２８におけるアミノ酸側鎖の間に形成される。これらのアミノ酸の側鎖同士は、水素結合、例えば塩架橋の形成のようなイオン相互作用、、または共有結合によって互いに連結することが可能である。一実施態様によれば、配列番号２０のグルカゴンペプチドを含むグルカゴンアゴニストが提供される。該配列番号では、位置１２、２０、または２８に配置されるリシン残基、および位置１６または２４に配置されるグルタミン酸残基の間にラクタム環が形成され、該グルカゴンペプチドにおける、その側鎖が該ラクタム環の形成に参加する二つのアミノ酸は、三つの介在アミノ酸によって互いに隔てられる。一実施態様によれば、このラクタム担持グルカゴン類縁体は、配列番号１１、配列番号１２、配列番号１３、配列番号１４、配列番号１５、配列番号１６、配列番号１７、および配列番号１８から成る群から選ばれるアミノ酸配列を含む。一実施態様では、ラクタム担持ペプチドのカルボキシ末端アミノ酸は、末端カルボン酸の代わりに、アミド基またはエステル基を含む。一実施態様では、配列番号１１、配列番号１２、配列番号１３、配列番号１４、配列番号１５、配列番号１６、配列番号１７、および配列番号１８のグルカゴンペプチドは、配列番号１１、配列番号１２、配列番号１３、配列番号１４、配列番号１５、配列番号１６、配列番号１７、または配列番号１８のカルボキシ末端に共有結合する、さらに別のアミノ酸を含む。さらに別の実施態様では、配列番号６６、配列番号６７、配列番号６８、および配列番号６９から成る群から選ばれる配列を含むグルカゴンペプチドが提供されるるが、該ペプチドはさらに、配列番号６６、配列番号６７、配列番号６８、および配列番号６９のカルボキシ末端に共有結合する、さらに別のアミノ酸を含む。一実施態様では、位置２８におけるアミノ酸は、アスパラギンまたはリシンであり、位置２９におけるアミノ酸はトレオニンである。
【誤訳訂正２】
【訂正対象書類名】明細書
【訂正対象項目名】００７１
【訂正方法】変更
【訂正の内容】
【００７１】
ＧＬＰ−１受容体に対する活性の増大は、本明細書に記載される通り、３個の介在アミノ酸によって隔てられる、二つのアミノ酸、例えば、位置１２と１６、または１６と２０、または２０と２４のアミノ酸、の側鎖の間において分子内架橋の形成を可能とするような、修飾によって実現される。
【誤訳訂正３】
【訂正対象書類名】明細書
【訂正対象項目名】００８５
【訂正方法】変更
【訂正の内容】
【００８５】
さらに別の実施態様では、グルカゴン／ＧＬＰ−１受容体コアゴニスト活性を示す、グルカゴン類縁体が提供されるが、ここで、該ペプチドのカルボキシ末端の三次元構造を安定化するために、二つのアミノ酸側鎖の間に分子内架橋が形成される。さらに具体的には、アミノ酸ペア１２および１６、１６および２０、２０および２４、または、２４および２８の側鎖が、互いに連結されて、グルカゴンのアルファヘリックスを安定化する。この二つの側鎖は、水素結合、イオン相互作用、例えば、塩橋の形成など、または共有結合によって互いに連結することが可能である。ある実施態様では、リングまたはリンカーのサイズは、約８原子、または約７〜９原子である。
【誤訳訂正４】
【訂正対象書類名】明細書
【訂正対象項目名】００８９
【訂正方法】変更
【訂正の内容】
【００８９】
ラクタム環におけるアミド結合の順序は逆転してもよい（例えば、ラクタム環は、Ｌｙｓ１２およびＧｌｕ１６の側鎖の間に形成されてもよいし、あるいは別に、Ｇｌｕ１２とＬｙｓ１６の間に形成されてもよい）。一実施態様によれば、配列番号４５のグルカゴン類縁体が提供されるが、ここで、少なくとも一つのラクタム環が、アミノ酸ペア１２および１６、１６および２０、２０および２４、または２４および２８から成る群から選ばれるアミノ酸ペアの側鎖の間に形成される。一実施態様では、配列番号２０のグルカゴンペプチド類縁体を含むグルカゴン／ＧＬＰ−１コアゴニストが提供されるが、ここで、該ペプチドは、アミノ酸位置１２および１６間、またはアミノ酸位置１６および２０の間に形成される分子内ラクタム架橋を含む。一実施態様では、配列番号２０の配列を含むグルカゴン／ＧＬＰ−１コアゴニストが提供されるが、ここで、分子内ラクタム架橋が、アミノ酸位置１２および１６の間、アミノ酸位置１６および２０の間、またはアミノ酸位置２０および２４の間に形成され、また、位置２９のアミノ酸はグリシンであり、配列番号２０のＣ末端アミノ酸に対し配列番号２９の配列が連結される。さらに別の実施態様では、位置２８のアミノ酸は、アスパラギン酸である。
【手続補正書】
【提出日】平成23年12月27日(2011.12.27)
【手続補正１】
【補正対象書類名】特許請求の範囲
【補正対象項目名】全文
【補正方法】変更
【補正の内容】
【特許請求の範囲】
【請求項１】
排出ガスから一種以上の金属を除去するための組成物であって、少なくとも一つの水溶性アルカリ土類多硫化物の第１成分と少なくとも一つの酸化還元緩衝剤の第２成分との水溶液を含み、
前記溶液は、成分の沈殿を避けるために初期に７以上のｐＨを有し、排出ガスに接触することによって、
排出ガスにおいて（複数の）金属のそこからの除去用の反応に十分な量の活性薬剤を形成するために前記溶液のｐＨを下げ、多硫化物および緩衝剤を共沈殿させるように、利用可能な表面積、および金属と水銀化合物の有益な表面反応の可能性を有する活性固形薬剤を形成するために４．５〜６．５のｐＨの溶液で多硫化物および緩衝剤が共沈殿する、組成物。
【請求項２】
アルカリ土類多硫化物は、ｐＨ１０を超えた状態で、２０〜３５ｗ／ｗ％の濃度で存在する、請求項１に記載の組成物。
【請求項３】
アルカリ土類多硫化物は、２５〜２９％の量で溶液に存在する多硫化マグネシウムまたは多硫化カルシウムのいずれかである、請求項２に記載の組成物。
【請求項４】
組成物は、多硫化マグネシウムおよび多硫化カルシウムの混合物であり、前記多硫化物は２５〜２９％の量で溶液に存在する、請求項３に記載の組成物。
【請求項５】
前記酸化還元緩衝剤はリン酸の水溶性一塩基アルカリ土類金属塩である、請求項１に記載の組成物。
【請求項６】
前記酸化還元緩衝剤は３〜３．５のｐＨの状態であり、０．５〜５ｗ／ｗ％の濃度で水溶液に存在する、請求項１に記載の組成物。
【請求項７】
前記酸化還元緩衝剤は３〜３．５のｐＨの状態であり、０．５〜５ｗ／ｗ％の濃度で水溶液に存在し、前記溶液は７および９の間のｐＨを有する、請求項３に記載の組成物。
【請求項８】
組成物はさらに、（複数の）金属との反応に先立ち、前記溶液において反応薬剤の維持に関与するのに十分な量の界面活性剤または超分散剤を含む、請求項１に記載の組成物。
【請求項９】
界面活性剤または超分散剤は、ポリエチレンオキシド−ポリエチレンのブロック共重合体およびそのリン酸エステルである、請求項８に記載の組成物。
【請求項１０】
排出ガスから金属を除去する方法であって、多硫化物および緩衝剤の共沈殿、および排出ガスからの（複数の）金属の接触およびその除去に十分な量の活性薬剤の形成を促進するために前記溶液のｐＨを下げることができるように排出ガスを請求項１に記載の組成物に接触させることを含む、方法。
【請求項１１】
さらに、前記溶液の液滴において前記薬剤を形成し、前記薬剤が排出ガスにおいて（複数の）金属とそこからの除去用に反応するために前記ガスが前記溶液のｐＨを下げ、前記多硫化物および緩衝剤が４．５〜６．５のｐＨで共沈殿するように、排出ガスを運ぶ導管内に組成物を噴霧する工程を含む、請求項１０に記載の方法。
【請求項１２】
前記組成物を、導管内に噴霧される慣習的な排煙脱硫溶液にそれを加えることによって導管内に導入する、請求項１１に記載の方法。
【請求項１３】
さらに、少なくとも一つの水溶性アルカリ土類金属多硫化物の第１溶液を準備する工程と；少なくとも一つの酸化還元緩衝剤の第２溶液を準備する工程と；排出ガスにおいて（複数の）金属と反応する前記薬剤を形成するために、これらの溶液を互いに組み合わせて、それを噴霧する直前に前記組成物を形成する工程を含む、請求項１１に記載の方法。
【請求項１４】
前記溶液は排出ガス導管内に噴霧される前１分未満に組み合わせられる、請求項１３に記載の方法。
【請求項１５】
さらに、前記少なくとも一つの水溶性アルカリ土類金属多硫化物の第１溶液を準備する工程と；少なくとも一つの酸化還元緩衝剤の第２溶液を準備する工程と；各々の溶液が導管内で交差、組み合わされ、相互作用または合体してその場で前記組成物を形成するように、および前記溶液の液滴において前記薬剤を形成し、前記薬剤を排出ガスにおいて（複数の）金属のそこからの除去用に反応させるために、前記ガスが前記溶液のｐＨを下げ、多硫化物および緩衝剤を４．５〜６．５のｐＨで共沈殿させるような方法で、各溶液を導管内に別々に噴霧または注入する工程を含む、請求項１０に記載の方法。
【請求項１６】
前記溶液は初期に７および９の間のｐＨであり、排出ガスに接触した後、固形活性薬剤を形成するために、ｐＨが４．５および６．５の間に下げられ、多硫化物および緩衝剤の共沈殿が促進される、請求項１に記載の組成物。
【請求項１７】
前記溶液は初期に７および９の間のｐＨであり、排出ガスに接触した後、固形活性薬剤を形成するために、ｐＨが４．５および６．５の間に下げられ、多硫化物および緩衝剤の共沈殿が促進される、請求項１０に記載の方法。
【請求項１８】
排出ガスから除去される金属には水銀が含まれる、請求項１６に記載の組成物。
【請求項１９】
排出ガスから除去される金属には水銀が含まれる、請求項１７に記載の方法。
【手続補正書】
【提出日】平成24年1月30日(2012.1.30)
【手続補正１】
【補正対象書類名】特許請求の範囲
【補正対象項目名】全文
【補正方法】変更
【補正の内容】
【特許請求の範囲】
【請求項１】
縦溝流路付きろ過媒体を形成する方法であって、
縦溝流路の繰り返しパターンを有する縦溝流路付きろ過媒体を提供するために、ろ過媒体に縦溝流路を形成する形成工程を有し、
前記縦溝流路の繰り返しパターンは、隣接する同じ側の頂点間で縦溝流路の１周期中に設けられる少なくとも１つの尾根を有する、少なくとも１つの縦溝流路を有することを特徴とする方法。
【請求項２】
前記縦溝流路の繰り返しパターンは、隣接する同じ側の頂点間で縦溝流路の１周期中に設けられる少なくとも２つの尾根を有する、少なくとも１つの縦溝流路を有することを特徴とする請求項１に記載の方法。
【請求項３】
前記形成工程は、前記縦溝流路付きろ過媒体を形成するために、前記ろ過媒体を第１ロールと第２ロールとの間に形成される食込み間隙中に供給する工程を有することを特徴とする請求項１に記載の方法。
【請求項４】
前記第１ロールは、複数の第１ロール突起部と複数の第１ロール凹部とを含み、
前記第１ロールは、前記第１ロール突起部と前記第１ロール凹部とを交互に提供し、
前記複数の第１ロール突起部のうちの少なくとも１つは、１つの媒体緩和領域によって互いに分離されている少なくとも２つの媒体接触領域を含むことを特徴とする請求項３に記載の方法。
【請求項５】
縦溝流路付きろ過媒体を形成する装置であって、
（ａ）前記装置は、複数の第１ロール突起部と複数の第１ロール凹部とを含む第１ロールを含み、前記第１ロールは、前記第１ロール突起部と前記第１ロール凹部とを交互に提供し、前記複数の第１ロール突起部のうちの少なくとも１つは、１つの媒体緩和領域によって互いに分離されている少なくとも２つの媒体接触領域を含んでおり、
（ｂ）前記装置は、複数の第２ロール凹部と複数の第２ロール突起部とを含む第２ロールを含み、前記第２ロールは、前記第２ロール凹部と前記第２ロール突起部とを交互に提供し、前記複数の第２ロール凹部のうちの少なくとも１つは、１つの媒体緩和領域によって互いに分離されている少なくとも２つの媒体接触領域を含んでいることを特徴とする装置。
【手続補正書】
【提出日】平成23年11月24日(2011.11.24)
【手続補正１】
【補正対象書類名】特許請求の範囲
【補正対象項目名】全文
【補正方法】変更
【補正の内容】
【特許請求の範囲】
【請求項１】
電子組立品であって、
基板と、
前記基板上に形成され、第１の巻線と第２の巻線とを含むバラン変換器であって、各巻線は別個の第１および第２の端部を有する、前記バラン変換器と、
前記基板上に形成され、前記第２の巻線の第１および第２の端部間に電気的に結合される反応回路部品と
を備え、
前記バラン変換器および前記反応回路部品は共同して、基本周波数を有する高調波の抑制されたバラン変換器を構成し、
前記反応回路部品は、前記高調波の抑制されたバラン変換器が前記基本周波数の選択された高調波において共鳴するように調整されており、
前記選択された高調波の周波数は前記基本周波数の第２高調波であり、
前記反応回路部品はキャパシタを含み、
前記反応回路部品は前記第２の巻線の中間点に電気的に結合されている、電子組立品。
【請求項２】
前記バラン変換器の第１の巻線の第１の端部に電気的に結合されるアンテナをさらに備える、請求項１に記載の電子組立品。
【請求項３】
前記バラン変換器の第１の巻線の第２の端部に電気的に結合される接地端子をさらに備える、請求項２に記載の電子組立品。
【請求項４】
前記バラン変換器の第２の巻線は中央タップを含み、前記反応回路部品は前記中央タップを通して前記第２の巻線に電気的に結合されている、請求項３に記載の電子組立品。
【請求項５】
電子組立品であって、
基板と、
前記基板上に形成され、第１の巻線と第２の巻線とを含むバラン変換器であって、前記第１および第２の巻線はそれぞれ別個の第１および第２の端部を有する、前記バラン変換器と、
前記基板上に形成され、前記バラン変換器の第１の巻線の第１の端部に電気的に結合されるアンテナと、
前記基板上の接地端子であって、前記バラン変換器の第１の巻線の第２の端部に電気的に結合される前記接地端子と、
前記バラン変換器の第１の巻線の第１の端部に電気的に結合される増幅器と、
前記基板上に形成され、前記第２の巻線の第１および第２の端部間に電気的に結合される反応回路部品と
を備え、
前記バラン変換器および前記反応回路部品は共同して、基本周波数を有する高調波の抑制されたバラン変換器を構成し、前記反応回路部品は、前記高調波の抑制されたバラン変換器が前記基本周波数の選択された高調波において共鳴するように調整されている、電子組立品。
【請求項６】
電子組立品を形成するための方法であって、
基板上に第１の巻線を形成することであって、前記第１の巻線は第１および第２の端部を有する、前記第１の巻線を形成すること、
前記基板上に第２の巻線を形成することであって、前記第２の巻線は第１および第２の端部を有し、前記第１および第２の巻線は共同してバラン変換器を構成する、前記第２の巻線を形成すること、
前記基板上に反応回路部品を形成することであって、前記反応回路部品は前記第２の巻線の第１および第２の端部間に電気的に結合される、前記反応回路部品を形成すること、
前記バラン変換器および前記反応回路部品が共同して、基本周波数を有する高調波の抑制されたバラン変換器であって、前記周波数の選択された高調波において共鳴するバラン変換器を構成するように、前記反応回路部品を調整すること、
前記基板上にアンテナを形成することであって、前記アンテナは前記第１の巻線の第１の端部に電気的に結合されている、前記アンテナを形成すること
を含み、前記反応回路部品はキャパシタを含み、前記選択された高調波の周波数は前記基本周波数の第２高調波である、方法。
【手続補正書】
【提出日】平成24年1月18日(2012.1.18)
【手続補正１】
【補正対象書類名】特許請求の範囲
【補正対象項目名】全文
【補正方法】変更
【補正の内容】
【特許請求の範囲】
【請求項１】
イメージセンサにおいて、
行および列状に配列されたピクセルのアレイであって、前記列は、グループに分割され、各グループが、複数の前記列を含み、共通出力を共有するピクセルのアレイであって、前記ピクセルアレイを覆うように構成されるスパースカラーフィルタアレイパターンが、複数のセルを有する最小反復ユニットを有し、各セルは、複数のカラーピクセルおよび複数のパンクロマチックピクセルを有することを特徴とする、ピクセルのアレイと、
前記ピクセルアレイ内の列のグループごとに、対応する複数の列回路を備えるサンプリングおよび読出し回路であって、列の各グループに関連付けされる前記複数の列回路の中の１つの中に別個に前記グループごとの前記共通出力をサンプリングするように構成され、列の各グループに関連付けされる前記複数の列回路の中の別の１つの中に先にサンプリングされた前記グループごとの前記共通出力を読み出し、前記セルの中の所定の１つの中のカラーピクセルが、前記所定のセルの中のパンクロマチックピクセルとは異なる列回路を使用してサンプリングされ読み出されるように構成されるサンプリングおよび読出し回路と、を備えるイメージセンサ。
【請求項２】
請求項１に記載のイメージセンサであって、前記サンプリングおよび読出し回路は、列の前記グループの中の所定の１つに関連付けされる前記複数の列回路の中の１つの中に前記所定のグループごとに前記共通出力をサンプリングすることを、前記所定のグループに関連付けされる前記複数の列回路の中の別の１つの中に先にサンプリングされた前記所定のグループごとの前記共通出力を読み出すことと同時に行なうように構成されることを特徴とするイメージセンサ。
【請求項３】
請求項１に記載のイメージセンサであって、前記ピクセルアレイは、列の前記グループの中の所定の１つの中の１つ以上のピクセルを、対応する共有される共通出力に制御可能に接続するように構成されることを特徴とするイメージセンサ。
【請求項４】
請求項１に記載のイメージセンサであって、各最小反復ユニットが、少なくとも１２個のピクセルを含むことを特徴とするイメージセンサ。
【請求項５】
請求項１に記載のイメージセンサであって、前記セルのそれぞれが、４つのピクセルを含み、複数の同一カラーピクセルは、互いに対して対角線状に配置され、前記複数のパンクロマチックピクセルは、互いに対して対角線状に配置されることを特徴とするイメージセンサ。
【請求項６】
請求項５に記載のイメージセンサであって、前記最小反復ユニットは、以下のように、すなわち
ＺＰＹＰ
ＰＺＰＹ
ＹＰＸＰ
ＰＹＰＸ
のように４・４ピクセルセル状に配置された１６個のピクセルを含み、Ｐは、前記パンクロマチックピクセルの中の１を表し、Ｘ、Ｙ、およびＺは、各カラーピクセルを表すことを特徴とするイメージセンサ。
【請求項７】
請求項６に記載のイメージセンサであって、Ｘ、Ｙ、およびＺは、レッド、グリーン、およびブルーから個別に選択されることを特徴とするイメージセンサ。
【請求項８】
請求項６に記載のイメージセンサであって、Ｘ、Ｙ、およびＺは、シアン、マゼンダ、およびイエローから個別に選択されることを特徴とするイメージセンサ。
【請求項９】
請求項１に記載のイメージセンサであって、前記イメージセンサは、デジタル撮像デバイス内に含まれることを特徴とするイメージセンサ。
【手続補正書】
【提出日】平成24年1月18日(2012.1.18)
【手続補正１】
【補正対象書類名】特許請求の範囲
【補正対象項目名】全文
【補正方法】変更
【補正の内容】
【特許請求の範囲】
【請求項１】
本体と、
前記本体に配置される１又はそれ以上の印刷機構であって、該印刷機構の周囲の領域が診断領域に対応する前記印刷機構と、
前記印刷機構の中の少なくとも１つの印刷機構に動作上関連して前記本体に配置される印刷エンジンと、
１又はそれ以上の前記診断領域の夫々の部分に面して前記本体に配置される１又はそれ以上の画像捕捉モジュールであって、各画像捕捉モジュールはメモリへの画像のストリームを選択的に発生させることができる前記画像捕捉モジュールと、
所定の基準に関して前記画像捕捉モジュールを制御する画像捕捉コントローラと、
制御信号に応答して前記画像捕捉コントローラにより前記所定の基準に関して前記画像捕捉モジュールの動作を開始し、印刷装置の通常動作に相応するレートで診断情報と結合された前記画像のストリームを前記メモリへ送る制御ユニットと
を有する印刷装置。
【請求項２】
前記画像捕捉モジュールは赤外線カメラを有する、請求項１に記載の印刷装置。
【請求項３】
前記画像捕捉モジュールは、診断領域に対して位置付けられる２又はそれ以上のカメラを有し、１つのカメラは、印刷経路を見るよう媒体用紙に対して略垂直であり、１つのカメラは、前記印刷機構のみを見るために前記印刷機構に対して略平行である、請求項１に記載の印刷装置。
【請求項４】
本体と、
前記本体に配置される１又はそれ以上の印刷機構であって、該印刷機構の周囲の領域が診断領域に対応する前記印刷機構と、
前記印刷機構の中の少なくとも１つの印刷機構に動作上関連して前記本体に配置される機構コントローラと、
１又はそれ以上の前記診断領域の夫々の部分に面して前記本体に配置される１又はそれ以上の画像捕捉モジュールであって、各画像捕捉モジュールはメモリへの画像のストリームを選択的に発生させることができる前記画像捕捉モジュールと、
所定の基準に関して前記画像捕捉モジュールを制御する画像捕捉コントローラと、
制御信号に応答して前記画像捕捉コントローラにより前記所定の基準に関して前記画像捕捉モジュールの動作を開始し、診断可能印刷装置の通常動作に相応するレートで診断情報と結合された前記画像のストリームを前記メモリへ送る制御ユニットと
を有する診断可能印刷装置。
【請求項５】
画像捕捉モジュール及び印刷機構によって定められる診断領域において一部又は全ての印刷機構を見るよう、１又はそれ以上の視野を有する画像診断モジュールにより、１又はそれ以上の印刷機構の間を走査する段階と、
前記診断領域の１又はそれ以上の代表画像を検出し出力する段階と、
前記代表画像を他の記憶されている画像と比較する段階と、
前記比較する段階に応答して、１又はそれ以上の前記画像診断モジュールから更なる現在の画像の中の１つを含む出力を生成する段階と
を有する印刷方法。
【手続補正書】
【提出日】平成23年12月2日(2011.12.2)
【手続補正１】
【補正対象書類名】特許請求の範囲
【補正対象項目名】全文
【補正方法】変更
【補正の内容】
【特許請求の範囲】
【請求項１】
マルチビューディスプレイ内の知覚される画像クロストークを低減する方法であって、
ディスプレイに画像ストリームを供給する工程であって、前記ディスプレイは、該ディスプレイの第１の側から該ディスプレイの反対側の第２の側まで延在する水平次元を含み、前記画像ストリームは、画像の時系列を含み、前記ディスプレイ上に少なくとも第１の画像視野及び次に第２の画像視野が時間配列的に表示される工程と、
前記画像の時系列が前記ディスプレイ上に表示される前に、前記画像の時系列を調節して、前記少なくとも第１の画像視野と前記第２の画像視野との間の知覚される表示画像クロストークを低減する工程であって、前記調節する工程は、前記水平次元のための不均一クロストーク補正関数に基づいて、前記水平次元に沿った、少なくとも選択された画素の色強度を修正する工程を含む、工程と、
を含む、方法。
【請求項２】
マルチビューディスプレイ内の知覚される画像クロストークを低減する方法であって、
ディスプレイに画像ストリームを供給する工程であって、前記ディスプレイは、該ディスプレイの第１の側から該ディスプレイの反対側の第２の側まで延在する水平次元を含み、前記画像ストリームは、画像の時系列を含み、前記ディスプレイ上に少なくとも第１の画像視野及び次に第２の画像視野が時間配列的に表示される工程と、
前記ディスプレイ上に前記画像ストリームが表示される前に、前記画像ストリームの前記第１の画像視野及び前記第２の画像視野を調節して、前記第１の画像視野と第２の画像視野との間の知覚される表示画像クロストークを低減する工程であって、前記調節する工程は、前記水平次元のための不均一クロストーク補正関数に基づいて、前記水平次元に沿った、少なくとも選択された画素の色強度を修正する工程、及び前記第１の画像視野及び第２の画像視野の色強度の範囲を再スケーリングして前記修正された色強度が前記色強度の範囲内となるようにする工程を含む、工程と、
を含む、方法。
【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
ヒマワリ植物に早期開花性および／または早熟性の表現型を付与する突然変異優性単一遺伝子を含む早熟性ヒマワリ植物であって、前記遺伝子の主要遺伝子座をＤＮＡマーカーによって第５連鎖群の一端にマッピングすることができる早熟性ヒマワリ植物。
【請求項２】
前記遺伝子の主要遺伝子座をマイクロサテライトまたはＳＳＲマーカーによって第５連鎖群の一端にマッピングすることができる請求項１に記載の早熟性ヒマワリ植物。
【請求項３】
ＡＴＣＣ＃ＰＴＡ−８７１５にある早熟性遺伝子を含む、請求項１に記載の早熟性ヒマワリ植物。
【請求項４】
前記遺伝子を含む、請求項１に記載の植物から作出される種子。
【請求項５】
前記遺伝子を含む、請求項１に記載の植物の後代。
【請求項６】
前記ゲノム中に安定に組み込まれた配列番号８２をさらに含む、請求項１から５のいずれか１項に記載の植物。
【請求項７】
早期開花性遺伝子を含む植物であって、前記植物がゲノムを含み、前記ゲノムがその中に配列番号８２の少なくとも１つの単一ヌクレオチド多型（ＳＮＰ）を含み、前記ゲノムが配列番号８２の残基６５にシトシンを含む、請求項６に記載の植物。
【請求項８】
前記ゲノムが配列番号８２の第２の多型、好ましくは配列番号８２の残基１２５にグアニンの第２の多型を含む、請求項７に記載の植物。
【請求項９】
前記植物が、前記野生型植物と比較して早期開花性の表現型を表す、請求項７に記載の植物。
【請求項１０】
前記植物が、３５日で開花可能なヒマワリである、請求項７に記載の植物。
【請求項１１】
請求項７に記載の前記遺伝子を含む、請求項７に記載の植物の一部分。
【請求項１２】
種子または花粉である、請求項１１に記載の植物の部分。
【請求項１３】
早期開花性に関連するマーカー遺伝子座の存在を同定する方法であって、前記方法が、ヒマワリ植物中の、請求項６に記載の配列番号８２中の前記少なくとも１つの単一ヌクレオチド多型（ＳＮＰ）を同定することを含み、前記ＳＮＰの存在が前記マーカー遺伝子座を同定する、方法。
【請求項１４】
適切なプライマーのセットを使用することを含む、請求項１３に記載の方法。